(57)【要約】【課題】美観を損ねることなく、受桟や框付棚板を取り付けた後に、框固定金具を用いて前框の側端部を側面部側板に容易に固定できる框付棚板の取付け構造を提供する。【解決手段】框付棚板１２は、横幅が押入れ１１の横幅よりも小さく形成されており、側面部側板１１ａとの間に微小隙間２０を保持して押入れ１１に取り付けられている。框固定金具１５は、前框１３の側端部の下端面に框固定プレート部１８を、前框１３の側端部の背面に押えプレート部１９を、前框１３の側端面１３ａに平プレート部１７の挿入部分１７ａを各々沿わせた状態で、框固定プレート部１８のビス固定孔２１に固定ビス２２を打ち込むことで、前框１３の側端部に固定される。前框１３の側端部は、平プレート部１７の張出し部分１７ｂのビス固定孔２１に固定ビス２２を打ち込むことで、平プレート部１７の挿入部分１７ａを微小隙間２０に差し込んだ状態で、側面部側板１１ａに固定される。【選択図】図２
2015161109.tif 000002
【特許請求の範囲】
【請求項１】
少なくとも左右両側の側壁部が側板によって区画される収納部の高さ方向中間部分に、受桟に支持させて前框の付いた框付棚板を設置して固定するための框付棚板の取付け構造であって、
前記框付棚板は、横幅が前記収納部の横幅よりも小さくなるように形成されていて、両側の側面部側板との間に微小隙間を保持した状態で、前記収容部に取り付けられており、
前記框付棚板の前框の両側の側端部は、框固定金具を介して両側の前記側面部側板に各々固定されており、
前記框固定金具は、前記前框の側端面と前記側面部側板との間の微小隙間に挿入可能な厚さを備える挿入部分、及び張出し部分からなる平プレート部と、該平プレート部の挿入部分の下辺部から側方にＬ字形状に折れ曲がって設けられた框固定プレート部と、該框固定プレート部の前記張出し部分側の辺部から上方にＬ字形状に折れ曲がって設けられた押えプレート部とからなり、前記框固定プレート部と、前記平プレート部の張出し部分には、各々ビス固定孔が形成されており、
前記框固定金具は、前記前框の側端部の下端面に前記框固定プレート部を、前記前框の側端部の背面に前記押えプレート部を、前記前框の側端面に前記平プレート部の挿入部分を各々沿わせた状態で、前記框固定プレート部のビス固定孔に固定ビスを打ち込むことによって、前記前框の側端部に固定されており、
前記前框の側端部は、前記平プレート部の張出し部分のビス固定孔に固定ビスを打ち込むことによって、前記平プレート部の挿入部分を前記微小隙間に差し込んだ状態で前記側面部側板に固定されている框付棚板の取付け構造。
【請求項２】
前記前框の側端面と前記側面部側板との間の微小隙間は、３〜５ｍｍの幅の隙間となっており、前記平プレート部の挿入部は、前記微小隙間の幅よりも１〜３ｍｍ薄い厚さを有している請求項１記載の框付棚板の取付け構造。
【請求項３】
前記収納部は、押入れである請求項１又は２記載の框付棚板の取付け構造。
【請求項４】
請求項１〜３のいずれか１項記載の框付棚板の取付け構造に用いる框固定金具であって、
前記前框の側端面と前記側面部側板との間の微小隙間に挿入可能な厚さを備える挿入部分、及び張出し部分とからなる平プレート部と、該平プレート部の挿入部分の下辺部から側方にＬ字形状に折れ曲がって設けられた框固定プレート部と、該框固定プレート部の前記張出し部分側の辺部から上方にＬ字形状に折れ曲がって設けられた押えプレート部とからなり、前記框固定プレート部と、前記平プレート部の張出し部分には、各々ビス固定孔が形成されており、
前記前框の側端部の下端面に前記框固定プレート部を、前記前框の側端部の背面に前記押えプレート部を、前記前框の側端面に前記平プレート部の挿入部分を各々沿わせた状態で取り付けられる框固定金具。
【発明の詳細な説明】
【技術分野】
【０００１】
本発明は、框付棚板の取付け構造及び框固定金具に関し、特に、少なくとも左右両側の側壁部が側板によって区画される収納部の高さ方向中間部分に、受桟に支持させて框付棚板を設置して固定するための框付棚板の取付け構造、及び該取付け構造に用いる框固定金具に関する。
【背景技術】
【０００２】
少なくとも左右両側の側壁部が側板によって区画される収納部として、例えば三方が両側の側面部側板及び後面部側板によって囲まれる押入れには、押入れの高さ方向中間部分に、押入れを上下に仕切る框付棚板が取り付けられているのが一般的である。框付棚板は、押入れの横断面形状と同様の大きさの略矩形の平面形状を有する棚板における、押入れの前面開口側の縁部に沿って、細長い帯板形状の前框を横方向に取り付けることによって形成されている。
【０００３】
また、框付棚板は、押入れを区画する三方の側板の内周面に沿って、所定の高さ位置に予め取り付けられた受桟に、棚板の周縁部を載置して支持固定させると共に、前框の両側の側端部を、左右両側の側面部側板に各々固定することで取り付けられるようになっている。このため、前框の両側の側端部を、左右両側の側面部側板に強固に且つ安定した状態で固定できるように、前框の両端部を左右両側の側面部側板に固定する際に用いる框固定金具が種々開発されている（例えば、特許文献１、特許文献２参照）。
【先行技術文献】
【特許文献】
【０００４】
【特許文献１】特開平４−２８９３７５号公報
【特許文献２】特許第５３６３７９８号公報
【発明の概要】
【発明が解決しようとする課題】
【０００５】
しかしながら、特許文献１の框固定金具では、取り付けた框固定金具が框付棚板の前方から見え易くなって、美観を損ねることになる。特許文献２の框固定金具では、受桟や框付棚板を取り付けるのに先立って、左右両側の側面部側板に框固定金具を予め固定しておく必要があることから、框固定金具の設置位置を精度良く墨出したり、施工誤差が無いように框固定金具を精度良く位置決めしながら固定する作業に多くの手間を要することになる。
【０００６】
一方、従来の框付棚板の取り付け作業では、押入れ等の収納部の横幅よりも大きな横幅の框付棚板を建築施工現場に搬入して、搬入した框付棚板を、収納部の横幅に納まるように現場合わせでカットしてから、押入れ等の収納部に取り付けるのが一般的であった。これに対して、近年、建築施工現場で框付棚板をカットする作業を不要にするために、框付棚板を、予め工場生産等によって、横幅が押入れ等の収納部の横幅よりも僅かに小さくなるように製造しておくことで、建築施工現場で形成された押入れ等の収納部に多少の施工誤差があった場合でも、収納部の内部に框付棚板をスムーズに設置できるようにした框付棚板の取付け構造が採用されている。このような框付棚板の取付け構造では、左右両側の側面部側板と前框の側端面との間に、外観上問題とならない程度の微小隙間が保持されるようになっている。
【０００７】
本発明は、収納部の左右両側の側面部側板と前框の側端面との間に保持された微小隙間を利用して、美観を損ねることなく、前框の側端部を側面部側板に強固に且つ安定した状態で固定することができると共に、受桟や框付棚板を取り付けた後においても、框固定金具を用いて前框の側端部を側面部側板に容易に固定することのできる框付棚板の取付け構造、及び該取付け構造に用いる框固定金具を提供することを目的とする。
【課題を解決するための手段】
【０００８】
本発明は、少なくとも左右両側の側壁部が側板によって区画される収納部の高さ方向中間部分に、受桟に支持させて前框の付いた框付棚板を設置して固定するための框付棚板の取付け構造であって、前記框付棚板は、横幅が前記収納部の横幅よりも小さくなるように形成されていて、両側の側面部側板との間に微小隙間を保持した状態で、前記収容部に取り付けられており、前記框付棚板の前框の両側の側端部は、框固定金具を介して両側の前記側面部側板に各々固定されており、前記框固定金具は、前記前框の側端面と前記側面部側板との間の微小隙間に挿入可能な厚さを備える挿入部分、及び張出し部分からなる平プレート部と、該平プレート部の挿入部分の下辺部から側方にＬ字形状に折れ曲がって設けられた框固定プレート部と、該框固定プレート部の前記張出し部分側の辺部から上方にＬ字形状に折れ曲がって設けられた押えプレート部とからなり、前記框固定プレート部と、前記平プレート部の張出し部分には、各々ビス固定孔が形成されており、前記框固定金具は、前記前框の側端部の下端面に前記框固定プレート部を、前記前框の側端部の背面に前記押えプレート部を、前記前框の側端面に前記平プレート部の挿入部分を各々沿わせた状態で、前記框固定プレート部のビス固定孔に固定ビスを打ち込むことによって、前記前框の側端部に固定されており、前記前框の側端部は、前記平プレート部の張出し部分のビス固定孔に固定ビスを打ち込むことによって、前記平プレート部の挿入部分を前記微小隙間に差し込んだ状態で前記側面部側板に固定されている框付棚板の取付け構造を提供することにより、上記目的を達成したものである。
【０００９】
また、本発明の框付棚板の取付け構造は、前記前框の側端面と前記側面部側板との間の微小隙間が、例えば３〜５ｍｍ程度の幅の隙間となっており、前記平プレート部の挿入部は、前記微小隙間の幅よりも例えば１〜３ｍｍ程度薄い厚さを有していることが好ましい。
【００１０】
さらに、本発明の本発明の框付棚板の取付け構造は、前記収納部が、押入れであることが好ましい。
【００１１】
また、本発明は、上記の框付棚板の取付け構造に用いる框固定金具であって、前記前框の側端面と前記側面部側板との間の微小隙間に挿入可能な厚さを備える挿入部分、及び張出し部分とからなる平プレート部と、該平プレート部の挿入部分の下辺部から側方にＬ字形状に折れ曲がって設けられた框固定プレート部と、該框固定プレート部の前記張出し部分側の辺部から上方にＬ字形状に折れ曲がって設けられた押えプレート部とからなり、前記框固定プレート部と、前記平プレート部の張出し部分には、各々ビス固定孔が形成されており、前記前框の側端部の下端面に前記框固定プレート部を、前記前框の側端部の背面に前記押えプレート部を、前記前框の側端面に前記平プレート部の挿入部分を各々沿わせた状態で取り付けられる框固定金具を提供することにより、上記目的を達成したものである。
【発明の効果】
【００１２】
本発明の框付棚板の取付け構造、又は該取付け構造に用いる框固定金具によれば、収納部の左右両側の側面部側板と前框の側端面との間に保持された微小隙間を利用して、美観を損ねることなく、前框の側端部を側面部側板に強固に且つ安定した状態で固定することができると共に、受桟や框付棚板を取り付けた後においても、框固定金具を用いて前框の側端部を側面部側板に容易に固定することができる。
【図面の簡単な説明】
【００１３】
【図１】本発明の好ましい一実施形態に係る框付棚板の取付け構造を用いて棚板が取り付けられた、押入れの部分透視斜視図である。
【図２】本発明の好ましい一実施形態に係る框付棚板の取付け構造を説明する、框固定金具を取り付ける前の状態の、図１のＡ部を後方から斜め上方に向けて視た斜視図である。
【図３】本発明の好ましい一実施形態に係る框付棚板の取付け構造を説明する、框固定金具を取り付けた状態の、図１のＡ部を後方から斜め上方に向けて視た要部斜視図である。
【図４】本発明の好ましい一実施形態に係る框付棚板の取付け構造を説明する、框固定金具を取り付けた状態の、図１のＡ部を前方から斜め上方に向けて視た、側面部側板を省略した要部斜視図である。
【図５】框固定金具の斜視図である。
【図６】框固定金具の（ａ）は正面図、（ｂ）は（ａ）を右側から視た側面図、（ｃ）は（ａ  ）を下方から視た下面図である。
【発明を実施するための形態】
【００１４】
本発明の好ましい一実施形態に係る框付棚板の取付け構造１０は、図１及び図２に示すように、収納部として、例えば木造の住宅建築物の居室部に設けられた押入れ１１の高さ方向中間部分に、押入れ１１による収納空間を上下に区画する框付棚板１２を取り付ける際に、框付棚板１２の前框１３を、押入れ１１の左右両側の側壁部を構成する側面部側板１１ａに、強固に且つ安定した状態で固定するための構造として採用されたものである。本実施形態では、框付棚板１２は、予め工場生産によって製造されたものとなっており、製造された框付棚板１２を、建築施工現場で形成された押入れ１１の内部にスムーズに設置できるように、框付棚板１２は、横幅が、押入れ１１の横幅よりも僅かに小さくなるように製作されている。このため、設置された框付棚板１２の前框１３の側端面１３ａ（図４参照）と、押入れ１１の左右両側の側面部側板１１ａとの間には、外観上問題とならない程度の微小隙間２０として、例えば３〜５ｍｍ程度の幅ｂの隙間が保持されるようになっている（図２、図３参照）。本実施形態の框付棚板の取付け構造１０は、このような、前框１３の側端面１３ａと押入れ１１の側面部側板１１ａとの間に保持された微小隙間２０を利用することで、美観を損ねることなく、框固定金具１５を用いて、前框１３の側端部を側面部側板１１ａに強固に固定できるようになっていると共に、框付棚板１２を設置した後に框固定金具１５を取り付けて、前框１３の側端部を側面部側板１１ａに固定できるようになっている。
【００１５】
なお、本実施形態の框付棚板の取付け構造１０では、図１のＡ部及びＢ部において、後述する框固定金具１５を用いて、前框１３の両側の側端部が側面部側板１１ａに各々固定されるようになっているが、以下の説明では、特にＡ部における固定構造について詳述されている。Ｂ部における固定構造については、Ａ部と同様の説明が参酌される。また、本実施形態では、押入れ１１の高さ方向中間部分に取り付けられた框付棚板１２の他に、押入れ１１の高さ方向の上部中間部分に、上部框付棚板１２’が取り付けられている。この上部框付棚板１２’についても、Ｃ部及びＤ部において同様の固定金具１５を用いて固定することで、本発明の框付棚板の取付け構造によって、押入れ１１の上部に上部框付棚板１２’を取り付けることが可能である。
【００１６】
そして、本実施形態の框付棚板の取付け構造１０は、図１及び図２に示すように、少なくとも左右両側の側壁部（本実施形態では、左右両側の側壁部と後側の側壁部の３方の側壁部）が側板１１ａ，１１ｂによって区画される押入れ（収納部）１１の高さ方向中間部分に、受桟１６に支持させて前框１３の付いた框付棚板１２を設置して固定するための取付け構造であって、框付棚板１２は、横幅が押入れ１１の横幅よりも小さくなるように形成されていて、両側の側面部側板１１ａとの間に微小隙間２０（図２、図３参照）を保持した状態で、押入れ１１に取り付けられている。
【００１７】
図３及び図４に示すように、框付棚板１２の前框１３の両側の側端部は、框固定金具１５を介して両側の側面部側板１１ａに各々固定されており、框固定金具１５は、図５及び図６（ａ）〜（ｃ）にも示すように、前框１３の側端面１３ａ（図４参照）と側面部側板１１ａとの間の微小隙間２０に挿入可能な厚さを備える挿入部分１７ａ、及び張出し部分１７ｂからなる平プレート部１７と、平プレート部１７の挿入部分１７ａの下辺部から側方にＬ字形状に折れ曲がって設けられた框固定プレート部１８と、框固定プレート部１８の張出し部分１７ｂ側の辺部から上方にＬ字形状に折れ曲がって設けられた押えプレート部１９とからなり、框固定プレート部１８と、平プレート部１７の張出し部分１７ｂには、各々ビス固定孔２１が形成されている。
【００１８】
框固定金具１５は、前框１３の側端部の下端面に框固定プレート部１８を、前框１３の側端部の背面に押えプレート部１９を、前框１３の側端面１３ａに平プレート部１７の挿入部分１７ａを各々沿わせた状態で、框固定プレート部１８のビス固定孔２１に固定ビス２２を打ち込むことによって、前框１３の側端部に固定され、前框１３の側端部は、平プレート部１７の張出し部分１７ｂのビス固定孔２１に固定ビス２２を打ち込むことによって、平プレート部１７の挿入部分１７ａを微小隙間２０に差し込んだ状態で、側面部側板１１ａに固定されている。
【００１９】
本実施形態では、収納部である押入れ１１は、例えば木造の住宅建築物の居室部に、左右両側の側壁部を構成する左右一対の側面部側板１１ａ、及び後側の側壁部を構成する後面部側板１１ｂによって３方を囲まれて、左右両側の柱部材２３（図２参照）の間の前面部に、例えば幅が１６９０ｍｍ程度、高さが２０００ｍｍ程度の大きさの開口面を保持した、奥行きが９００ｍｍ程度の大きさの収納部として形成されている。左右一対の側面部側板１１ａは、これらの内側面が、柱部材２３の開口側の内側面と面一に配置されるように取り付けられている。
【００２０】
本実施形態では、押入れ１１の高さ方向中間部分に、前框１３の付いた框付棚板１２が、両側の側面部側板１１ａ及び後面部側板１１ｂに支持させて取り付けられるようになっている。また、押入れ１１の高さ方向の上部中間部分には、上部框付棚板１２’が、両側の側面部側板１１ａ及び後面部側板１１ｂに支持させて取り付けられるようになっている。さらに、上部框付棚板１２’の直下部分に、両側の側面部側板１１ａの間に架設されて、ステンレス製のパイプ部材２４が取り付けられるようになっている。そして、高さ方向中間部分の框付棚板１２が、本実施形態の取付け構造１０によって、框固定金具１５を用いて押入れ１１に取り付けられるようになっている。
【００２１】
本実施形態では、框付棚板１２は、横長矩形の平面形状を有する棚板１４と、棚板１４の前面部側の側縁部に沿って一体として接合された前框１３とからなり、好ましくは工場生産によって、所定の寸法となるように精度良く製作されている。棚板１４は、例えば厚さが１５ｍｍ程度のパーティクルボードからなり、押入れ１１の横断面形状と同様の大きさの横長矩形の平面形状として、押入れ１１の横断面形状よりも若干小さな、例えば横幅が１６８４ｍｍ程度、奥行き方向の幅が７３７ｍｍ程度の大きさの、横長矩形の平面形状を備えるように形成されている。棚板１４の前面部側の側縁部には、当該側縁部に沿って、上部角部を矩形断面形状に切り欠いて、この切り欠き部分１４ａの下方に、嵌込み凸部１４ｂが形成されている。嵌込み凸部１４ｂは、後述する前框１３の背面上部に沿って形成された嵌込み凹溝１３ｂに、嵌め込むようにして係合される。
【００２２】
前框１３は、例えば多数の木材の端材を積層させて、接着剤を介して一体として接合した集成木材からなる。前框１３は、例えば厚さが２４ｍｍ程度、高さが７５ｍｍ程度の大きさの、好ましくは角部が面取りされた略縦長矩形の断面形状を有すると共に、棚板１４の横幅と同様の、例えば１６８４ｍｍ程度の長さの細長い帯板形状を備えるように形成されている。前框１３の背面上部には、上端角部をＬ字断面形状に切り欠くことで、嵌込み凹溝１３ｂが全長に亘って連続して設けられている。
【００２３】
本実施形態では、前框１３は、両側の側端面１３ａを棚板１４の両側の側端面１４ｃに各々面一に揃えると共に、嵌込み凹溝１３ｂに棚板１４の嵌込み凸部１４ｂを、例えば接着剤を介在させつつ嵌め込むようにして係合して、上端面を棚板１４の上面に面一に揃えた状態で、棚板１４に一体として接合される。また、本実施形態では、前框１３と棚板１４との接合角部の内側に、框棚固定用のアングル金物２５（図２参照）が、框側プレート２５ａや棚側プレート２５ｂに形成されたビス固定孔２６を介して、前框１３の裏面や棚板１４の下面に向けて各々固定ビスを打ち込むことよって、前框１３の長手方向に所定の間隔をおいて複数取り付けられている。これらによって、前框１３が、棚板１４の前面部側の側縁部から棚板１４に対して直角に垂下した状態で取り付けられて、棚板１４に一体として固定された框付棚板１２が形成されることになる。
【００２４】
本実施形態では、好ましくは工場生産によって製造された上述の框付棚板１２は、建築施工現場に搬入されて、押入れ１１を形成する両側の側面部側板１１ａ及び後面部側板１１ｂの内周面に沿って所定の高さ位置に連続して取り付けられた、受桟１６に支持させた状態で、押入れ１１の高さ方向中間部分に設置される。受桟１６は、例えば横幅が１９ｍｍ程度、縦幅が３０ｍｍ程度の大きさの、縦長矩形の断面形状を備える木製の桟部材からなり、例えば接着剤や固定ビスや固定釘等を用いて、現場施工によって、所定の高さ位置に精度良く固定されている。框付棚板１２は、棚板１４の両側の側部及び後部の周縁部を、好ましくは接着剤を介して受桟１６の上に載置すると共に、前框１３の側端部の背面を受桟１６の先端面に当接させた状態で、押入れ１１に設置される。
【００２５】
ここで、框付棚板１２は、前框１３及び棚板１４による横幅が、押入れ１１の横幅よりも僅かに小さくなるように製造されている。これによって、建築施工現場に形成された押入れ１１に多少の施工誤差があったとしても、このような施工誤差を吸収して、押入れ１１の内部に框付棚板１２を、スムーズに設置することが可能になる。また、框付棚板１２は、前框１３の両側の側端面１３ａや、棚板１４の両側の側端面１４ｃと、押入れ１１の両側の側面部側板１１ａとの間に、例えば３〜５  ｍｍ程度の均等な幅ｂの微小隙間２０を各々保持した状態で、押入れ１１の内部に設置される。本実施形態では、前框１３の両側の側端面１３ａと押入れ１１の両側の側面部側板１１ａとの間に保持された微小隙間２０を利用して、框固定金具１５を用いて、美観を損ねることなく、前框１３の側端部を側面部側板１１ａに強固に且つ安定した状態で固定できるようになっている。
【００２６】
そして、本実施形態では、前框１３の側端部を側面部側板１１ａに固定するための框固定金具１５は、好ましくは棚板１４の側端面１４ｃと押入れ１１の側面部側板１１ａとの間に保持された微小隙間の幅ｂよりも例えば１〜３ｍｍ程度薄い厚さとして、例えば２〜４ｍｍ程度の厚さの鋼製プレートに、切断加工、折曲げ加工、孔開け加工等を施すことによって形成されている。框固定金具１５は、上述のように、前框１３の側端面１３ａと側面部側板１１ａとの間の微小隙間２０に挿入可能な厚さを備える挿入部分１７ａ、及び張出し部分１７ｂからなる平プレート部１７と、平プレート部１７の挿入部分１７ａの下辺部から側方にＬ字形状に折れ曲がって設けられた框固定プレート部１８と、框固定プレート部１８の張出し部分１７ｂ側の辺部から上方にＬ字形状に折れ曲がって設けられた押えプレート部１９とからなり、框固定プレート部１８と、平プレート部１７の張出し部分１７ｂには、各々ビス固定孔２１が形成されている。
【００２７】
すなわち、框固定金具１５は、図５及び図６（ａ）〜（ｃ）に示すように、例えば縦２６ｍｍ程度、横４１ｍｍ程度の大きさの、３箇所の角部が円弧状に面取りされた略横長矩形の正面形状を備える平プレート部１７と、平プレート部１７の図６（ａ）における略右半分の部分を挿入部分１７ａとして、この挿入部分１７ａの下辺部から側方（前方）にＬ字形状に折れ曲がって設けられた、１箇所の角部が円弧状に面取りされた略正方形の下面形状を備える框固定プレート部１８と、框固定プレート部１８における、平プレート部１７の張出し部分１７ｂ側の辺部から上方にＬ字形状に折れ曲がって設けられた、上部の２箇所の角部が円弧状に面取りされた略正方形の側面形状を備える押えプレート部１９とからなる。框固定プレート部１８には、下方に向けて拡径する皿穴加工が施されたビス固定孔２１が、１箇所に開口形成されている。平プレート部１７の張出し部分１７ｂには、前方に向けて拡径する皿穴加工が施されたビス固定孔２１が、２箇所に開口形成されている。これらのビス固定孔２１に皿穴加工が施されていることにより、固定ビス２２を、皿穴部分に頭部を納めた状態で、前框１３の側端部の下端面や側面部側板１１ａに向けて打ち込むことが可能になる。
【００２８】
本実施形態によれば、上述の框固定金具１５を用いることによって、受桟１６に支持させて押入れ１１に設置された框付棚板１２の両側の側端部を、両側の側面部側板１１ａに容易に固定することが可能になる。すなわち、本実施形態によれば、設置された框付棚板１２の前框１３の裏側から、前框１３の側端面１３ａと側面部側板１１ａとの間に保持された微小隙間２０に、框固定金具１５の平プレート部１７の挿入部分１７ａを、押えプレート部１９が前框１３の背面に当接するまで差し込んで、框固定金具１５を取り付ける。これによって、前框１３の側端部の下端面に、框固定金具１５の框固定プレート部１８を沿わせると共に、前框１３の側端部の背面に、框固定金具１５の押えプレート部１９を沿わせ、且つ前框１３の側端面１３ａや側面部側板１１ａの内側面に、框固定金具１５の平プレート部１７の挿入部分１７ａを沿わせた状態とすることが可能になる。しかる後に、框固定プレート部１８のビス固定孔２１に、前框１３の下端面に向けて固定ビス２２を打ち込むことによって、框固定金具１５を前框１３の側端部に固定することが可能になる。さらに、平プレート部１７の張出し部分１７ｂのビス固定孔２１に、側面部側板１１ａの内側面に向けて固定ビス２２を打ち込むことによって、前框固定金具１５における、前框１３の下端面に沿って配置される框固定プレート部１８以外の部分を、正面側から視て、前框１３やこれの側端面１３ａによって覆い隠した状態で、当該前框固定金具１５介して、前框１３の側端部を、側面部側板１１ａに容易に固定することが可能になる。
【００２９】
したがって、本実施形態の框付棚板の取付け構造１０や框固定金具１５によれば、押入れ１１の左右両側の側面部側板１１ａと前框１３の側端面１３ａとの間に保持された微小隙間２０を利用して、美観を損ねることなく、前框１３の側端部を側面部側板１１ａに強固に且つ安定した状態で固定することが可能になると共に、受桟１６や框付棚板１２を取り付けた後においても、框固定金具１５を用いて前框１３の側端部を側面部側板１１ａに容易に固定することが可能になる。
【００３０】
前框固定金具１５介して、前框１３の側端部を側面部側板１１ａに固定したら、受桟１６の上に載置された棚板１４の、両側の側部周縁部及び後部周縁部の上方から受桟１６に向けて、所定のピッチで複数の固定釘やフィニッシュネイルを打ち込むことで、これらの周縁部を受桟１６に固定する。また、側端面１４ｃと側面部側板１１ａとの間に微小隙間２０が残置された、棚板１４の両側の側部周縁部と側面部側板１１ａとの接合角部分や、棚板１４の後部周縁部と後面部側板１１ｂとの接合角部分に沿って、雑巾摺（図示せず）を、接着剤や隠し釘やピンネイル等を用いて取り付ける。さらに、好ましくは雑巾摺と連設させて、前框１３の側端部を前方から覆う例えば樹脂製のサイドキャップ（図示せず）を取り付けることによって、框付棚板１２の設置作業が終了する。
【００３１】
なお、本発明は上記実施形態に限定されることなく種々の変更が可能である。例えば、本発明の取付け構造によって框付棚板が取り付けられる収納部は、押入れである必要は必ずしも無く、ウォークインクローゼットや納戸等の、その他の種々の収納部であっても良い。また、収納部は、三方が側板によって囲まれている必要は必ずしも無く、前後の面が開閉可能な開口面となっている収納部等、左右両側の側壁部のみが側板によって区画さているものであっても良い。
【符号の説明】
【００３２】
１０  框付棚板の取付け構造
１１  押入れ（収納部）
１１ａ  側面部側板
１１ｂ  側面部側板
１２  框付棚板
１３  前框
１３ａ  側端面
１４  棚板
１５  固定金具
１６  受桟
１７  平プレート部
１７ａ  挿入部分
１７ｂ  張出し部分
１８  框固定プレート部
１９  押えプレート部
２０  微小隙間
２１  固定孔
２２  固定ビス
【図１】
2015161109.tif 000003
【図２】
2015161109.tif 000004
【図３】
2015161109.tif 000005
【図４】
2015161109.tif 000006
【図５】
2015161109.tif 000007
【図６】
2015161109.tif 000008